(57)【特許請求の範囲】
【請求項１】
用紙の所要位置に情報記入部を有するとともに、該情報記入部以外の領域にカード形成部を有し、
前記カード形成部は、前記用紙で形成されるカード基材領域を有し、前記カード基材領域の前記情報記入部と同一側の面に表示情報記入部が設けられ、カード基材領域の少なくとも一側辺側を除く領域に対して剥離紙を介在させた状態にして透明フィルムを貼り付け、
かつ、前記カード形成部に分離部を設けて、該分離部に囲まれてなるカードを分離可能にし、前記剥離紙が介在する位置の透明フィルムが捲り上げ可能とされ、
前記カード基材領域中には写真取付予定部が設けられていて、前記剥離紙の前記写真取付予定部に対応する領域がカットにより分離可能に区分形成されていることを特徴とするカード付き申込書。
【請求項２】
上記カード形成部は、上記カード基材領域における上記情報記入部とは反対側の面に、アンテナとこのアンテナにＩＣチップを実装してなる非接触型データ送受信体が取り付けられていて、この非接触型データ送受信体を間にしてＩＣカード基材領域を覆うようにしてカバーフィルムが貼り付けられている請求項１に記載のカード付き申込書。
【発明の詳細な説明】
【０００１】
【発明の属する技術分野】
本発明は、カードを一体的に備える申込書に関するものである。
【０００２】
【発明が解決しようとする課題】
近年、基材に所要のパターンで形成されたアンテナにＩＣチップを実装して、別途に用意したリーダライター装置により記録情報の読み取り、書き込み、消し込みが非接触状態で行なえるＩＣカードが広く普及してきている。そして、この種のＩＣカードにおいては、前述したように情報の書き込みが簡易にして迅速に行なえることから、簡易発行の会員証などの用途に利用したいとの要望されるようになってきている。
【０００３】
しかしながら、この種のＩＣカードは簡易発行可能なカードでありながらＩＣチップを組み入れていて高価なものとなっているために耐久性（カード携帯時などでの耐久性）が要求される。その対策として予め透明フィルムでラミネートして補強する構造とすると、ある程度の耐久性が得られるものの、即時発行する場合、前もってラミネートした前記フィルムの上に署名などを記載するための部分に記載された個人名などの情報が、カード使用に伴って消え易くなるという問題がある。
そこで本発明は、ＩＣカードを分離可能にした状態で申込書に一体的に組み入れるとともに、そのＩＣカードに対して記載した情報を保護できるようにすることを課題とし、ＩＣカードを簡易発行の会員証としての用途に有用に利用できるようにすることを目的とするものである。
【０００４】
【課題を解決するための手段】
本発明は上記課題を考慮してなされたもので、用紙の所要位置に情報記入部を有するとともに、該情報記入部以外の領域にカード形成部を有し、
前記カード形成部は、前記用紙で形成されるカード基材領域を有し、前記カード基材領域の前記情報記入部と同一側の面に表示情報記入部が設けられ、カード基材領域の少なくとも一側辺側を除く領域に対して剥離紙を介在させた状態にして透明フィルムを貼り付け、
かつ、前記カード形成部に分離部を設けて、該分離部に囲まれてなるカードを分離可能にし、前記剥離紙が介在する位置の透明フィルムが捲り上げ可能とされ、
前記カード基材領域中には写真取付予定部が設けられていて、前記剥離紙の前記写真取付予定部に対応する領域がカットにより分離可能に区分形成されていることを特徴とするカード付き申込書を提供して、上記課題を解消するものである。
【０００５】
そして、本発明では、上記カード形成部は、上記カード基材領域における上記情報記入部とは反対側の面に、アンテナとこのアンテナにＩＣチップを実装してなる非接触型データ送受信体が取り付けられていて、この非接触型データ送受信体を間にしてＩＣカード基材領域を覆うようにしてカバーフィルムが貼り付けられていることが良好である。
【０００６】
【発明の実施の形態】
つぎに本発明を図１から図５に示す実施の形態に基づいて詳細に説明する。
図中１はＩＣカード付き申込書で、該ＩＣカード付き申込書１は一枚の用紙２の表面における所要位置に申し込み手続に関わる必要事項を記載するための情報記入部３が設けられているとともに、この情報記入部３以外の領域に、ＩＣカード４を分離可能に備えているＩＣカード形成部５を有している。
前記ＩＣカード形成部５は、図２の断面で示されているように複数の素材を積層して構成されていて、まず、用紙２中に区分形成されるＩＣカード基材領域６の上記情報記入部３と同一側となる面に、即ち、用紙２の表面である側に表示情報記入部７が設けられている。そして、ＩＣカード基材領域６の前記表示情報記入部７とは反対側の面、即ち、用紙２の裏面である側には、ＩＣカード基材領域６より小寸法にした非接触型データ送受信体８が取り付けられている。
前記非接触型データ送受信体８は、アンテナ１０とＩＣチップ１１とを用紙２側に向けた状態にして接着剤ｓにより貼り合わされている。さらにこの非接触型データ送受信体８を含むＩＣカード基材領域６を覆うようにして合成樹脂製のカバーフィルム１２が接着剤ｓにより貼り合わされている。このように前記非接触型データ送受信体８はこのＩＣカード形成部５においてＩＣカード基材領域６と前記カバーフィルム１２との間に位置しており、外部に表出することなく保護された状態となっている。
【０００７】
また、ＩＣカード形成部５において上記ＩＣカード基材領域６の表面側には、このＩＣカード基材領域６側の面に粘着剤ｎが塗布された透明フィルム１３が位置している。前記透明フィルム１３はＩＣカード基材領域６の表面側に貼り合わせることで、上記表示情報記入部７に記載された情報を保護するものであるが、その情報が記載される前の必要時に捲り上げることができるようにしている。即ち、ＩＣカード基材領域６の三辺に囲まれて表示情報記入部７を含む領域に対して剥離紙１４を介在させた状態にしており、剥離紙１４が位置していない部分の粘着剤ｎによってこの透明フィルム１３がＩＣカード基材領域６を覆うようにして用紙２に貼り付けられている。
図示した例では、この透明フィルム１３はＩＣカード基材領域６の形状に対応して長方形とされ、その透明フィルム１３の相対する長辺部の間に亘って、かつ、ＩＣカード基材領域６の情報記入部３側の短辺位置を覆うようにして前記剥離紙１４が位置しており、透明フィルム１３の情報記入部３側の端部がＩＣカード基材領域６外で用紙２に貼り合わされ、透明フィルム１３のもう一方側の端部がＩＣカード基材領域６の上面からＩＣカード基材領域６外に亘るようにして貼り合わされている（図１、図２参照）。
【０００８】
このように透明フィルム１３、ＩＣカード基材領域６、非接触型データ送受信体８、カバーフィルム１２が積層している構成のＩＣカード形成部５にあっては、図示されているように、上記ＩＣカード４を分離可能とするためにＩＣカード基材領域６の外周に沿って分離部１５を有している。前記分離部１５は図１に示すように不連続のカット１６からなるものであり、情報記入部３側にはカット１６の間に一つのタイ１７が小寸にして設けられ、反対側にあっては三つのタイ１７が設けられている。
このようにＩＣカード基材領域６の外周に沿って分離部１５が位置し、この分離部１５を境としてＩＣカード形成部５中にＩＣカード４が分離可能にして一体的に形成されており、タイ１７をそれぞれ切断することで単独で取り扱えるＩＣカード４が得られるようにしている。また、分離部１５の一つのタイ１７を備えている情報記入部３側の直線部分とタイが存在しない上下の直線部分とは上述した剥離紙１４に対応する部分であって、情報記入部３側の直線部分にある前記タイ１７のみを切断すれば、ＩＣカード４を分離しない状態でＩＣカード基材領域６の上面の表示情報記入部７を覆っている透明フィルム１３を剥離紙１４とともに捲り上げでき、前記表示情報記入部７を表出させることが簡単に行なえるように設けられている。
なお、捲り上げる透明フィルム１３にあっては、情報記入部３とは反対側の部分でＩＣカード基材領域６に直接貼り合わされているため、分離部１５に囲まれた部分の透明フィルム１３が単独で外れることはない。
【０００９】
上記透明フィルム１３の捲り上げは、ＩＣカード４をＩＣカード形成部５から分離させない状態にして表示情報記入部７を表出させ、そこに情報の記載が行なえるようにするためのものであり、情報記入部３側の直線部分に一つのみのタイ１７を設ける構成に限定されるものではない。即ち、剥離紙１４が位置している側から透明フィルム１３を必要時に捲り上げることができればよく、長さを極めて短くして切断容易にしたタイ１７を複数設けることも可能である。
【００１０】
図において符号１８は、上記ＩＣカード基材領域６の上面において表示情報記入部７以外の所定位置に設定されている写真取付予定部１９に対応して上記剥離紙１４にカットを入れて剥離紙１４を分離可能に区画した領域であり、図４に示されているように、前記写真取付予定部１９に写真２０を配する場合、透明フィルム１３を剥離紙１４とともに捲り上げた状態にして前記領域１８の剥離紙１４を取り除き、画像面を粘着剤ｎに貼り合わせるようにして写真２０をこの領域１８に貼り付けるようにする。これによって写真２０が前記写真取付予定部１９に対応するように位置決めされ、残りの剥離紙１４を剥ぎ取ってから透明フィルム１３をＩＣカード基材領域６に戻すようにして貼り付けることで写真２０が適正に写真取付予定部１９に位置するようになる。
なお、写真取付予定部１９は非接触型データ送受信体８のアンテナ１０やＩＣチップ１１とに対応しない位置に設定することが望ましい。これは、写真取付予定部１９に写真２０を重ねることでその写真２０が位置する部分の厚さが周りの部分の厚さより厚くなって写真２０周りに段差ができ、後述のようにして得られたＩＣカードを取り扱うときにその段差の部分に応力が加わり易くなるためである。
【００１１】
写真取付予定部１９における上述の形態はＩＣカード基材領域６の上に写真２０が重ね置くようにしたものであるが、写真２０の取付はこの例に限定されるものではない。図５に示すように写真取付予定部１９はＩＣカード基材領域６を打抜いた抜き孔からなるものとして構成してこれを非接触型データ送受信体８のアンテナ１０やＩＣチップ１１に影響を及ぼさない位置に設定し、この抜き孔からなる写真取付予定部１９に写真２０を配置するようにしてもよい。
【００１２】
このＩＣカード付き申込書１には、申し込み受付側の顧客データベース上で記録管理されている顧客情報に対応したＩＤ情報２１がＩＣカード基材領域６内の表示情報記入部７を除いた部分とこのＩＣカード形成部５以外の用紙２の上面との二箇所に設けられていて、このＩＤ情報２１は後述するように、上記非接触型データ送受信体８に顧客情報を記録する際に利用される。
【００１３】
このようにして得られたＩＣカード付き申込書１への情報記載は、まず、受付カウンターなどで申込者である顧客が上記情報記入部３に申込に際しての必要事項を記載するとともに、ＩＣカード形成部５の透明フィルム１３を上述したように捲り上げて表示情報記入部７も個人名などの情報を書き込む。また、必要に応じて上記領域１８の剥離紙１４を取り除いて写真２０を貼り付けてから、剥離紙１４全体を剥ぎ取って透明フィルム１３を元に戻すようにしてＩＣカード基材領域６の上面に貼り合わせる。
そして、この申込書１を受け付ける側では、情報記入部３に記載された上記情報（顧客が情報記入部３記入した情報や表示情報記入部７に記入した情報）をＩＤ情報２１に対応付けした状態でデータベースに入力し、さらに、分離部１５からＩＣカード４を取り外して単独で取り扱えるようにする。
取り外されたＩＣカード４はＩＤ情報２１を読み取るリーダライタにより（或いはＩＤ情報２１をリーダライタに手入力して）、そのＩＤ情報２１に対応するデータベース上の顧客情報を、非接触型データ送受信体８に対して非接触状態にして記録させる。そしてこのようにして形成されたＩＣカード４を顧客に手渡す。
【００１４】
勿論、ＩＣカード４を取り外す前に、上記非接触型データ送受信体８に非接触状態で情報を記録させることができる。例えば、申込書１を受け付ける側で、情報記入部３に記載された情報をＩＣカード形成部５以外のＩＤ情報２１に対応付けした状態でデータベースに入力した後、申込書１の非接触型データ送受信体８に対して上記リーダライタから前記ＩＤ情報２１に対応した情報を入力し、分離部１５からＩＣカード４を取り外すようにすればよい。この場合、ＩＣカード基材領域６中にＩＤ情報２１は不要である。
【００１５】
【発明の効果】
上記ＩＣカード付き申込書によれば、申込書の用紙に対して一体的にＩＣカードが分離可能に組み込まれているため、申込書に記載された情報に対してＩＣカードの非接触型データ送受信体に記録する情報の対応付けが極めて容易に行なえるようになり、両者の対応付けの確認を行なう必要がない。また、ＩＣカード基材領域の透明フィルムの捲り上げが可能であるため、そのＩＣカード基材領域における表示情報既入部への情報記載が簡単であるとともに、記載された情報を前記透明フィルムで保護されたＩＣカードを得ることができるなど、実用性に優れた効果を奏するものである。
【図面の簡単な説明】
【図１】  ＩＣカード付き申込書の一例を用紙上面側を見た状態で示す説明図である。
【図２】  一例を断面で示す説明図である。
【図３】  ＩＣカード基材領域における透明フィルムの捲り上げを示す説明図である。
【図４】  ＩＣカードを分離した状態を断面で示す説明図である。
【図５】  他の例を断面で示す説明図である。
【符号の説明】
１…ＩＣカード付き申込書
２…用紙
３…情報記入部
４…ＩＣカード
５…ＩＣカード形成部
６…ＩＣカード基材領域
７…表示情報記入部
８…非接触型データ送受信体
１２…カバーフィルム
１３…透明フィルム
１４…剥離紙
１５…分離部
１６…カット
１８…領域
２１…ＩＤ情報
【図１】
0004785018.tif 000002
【図２】
0004785018.tif 000003
【図３】
0004785018.tif 000004
【図４】
0004785018.tif 000005
【図５】
0004785018.tif 000006